(57)【要約】【課題】端子間の良好な接触性を確保できる自動清浄端子の整合機構を提供する。【解決手段】端子整合機構は、一つまたは二つ以上の主動端子１と一つまたは二つ以上の受動端子２が互いに整合重ね接合し、端子の種類と形式は限ることがない。互いに重ね接合する端子はそれぞれに整合対応の傾斜面１１ａと突起円弧部２１が設けられ、端子を重ね接合するとき、傾斜面１１ａと突起円弧部２１が下方向に圧下するときに相互に摩擦する。重ね接合の接触により端子接触面に堆積した金属酸化層、塵、垢または油しみをこすり取って、自動清浄効果が得られ、端子間の良好な接触性を確保し、電流導通または信号伝送の最適状態を維持する。主動端子１の弾性が受動端子２より優れているため、より強い摩擦働きを発生し、強い擦り効果を形成し、より良い自動清浄機能を実現する。【選択図】図１
2007134058.tif 000002
【特許請求の範囲】
【請求項１】
端子整合機構は、一つまたは二つ以上の主動端子と一つまたは二つ以上の受動端子が互いに整合重ね接合し、互いに重ね接合する端子はそれぞれに整合対応の傾斜面と突起円弧部を設け、端子を重ね接合するとき、傾斜面と突起円弧部が下方向に圧下するときに相互に摩擦し、端子の接触面は接触摩擦により自動清浄機能を実現することを特徴とする自動清浄端子の整合機構。
【請求項２】
受動端子の剛性強度は、主動端子の剛性強度より大きく、主動端子の弾性が受動端子より優れている構造であることを特徴とする請求項１記載の自動清浄端子の整合機構。
【請求項３】
主動端子と受動端子との整合重ね接合位置は、主動端子の後ろ側傾斜面または前側面傾斜面に設けることを特徴とする請求項１記載の自動清浄端子の整合機構。
【請求項４】
主動端子または受動端子の整合端に円弧形状を設け、これに合わせて受動端子または主動端子の整合端に傾斜面を形成することを特徴とする請求項１記載の自動清浄端子の整合機構。
【請求項５】
主動端子と受動端子は、同一方向の下方向圧下による重ね接合の組み合わせ形態であることを特徴とする請求項１記載の自動清浄端子の整合機構。
【請求項６】
主動端子と受動端子は、異なる方向の下方向圧下による重ね接合の組み合わせ形態であることを特徴とする請求項１記載の自動清浄端子の整合機構。
【請求項７】
主動端子と受動端子との整合重ね接合位置は、受動端子の後ろ側傾斜面または前側面傾斜面に設けることを特徴とする請求項１記載の自動清浄端子の整合機構。
【請求項８】
一つの主動端子と二つの受動端子より整合構成し、主動端子の後ろ側傾斜面と前側傾斜面は二つの受動端子の突起円弧部と下方向の圧下による重ね接合であることを特徴とする請求項１記載の自動清浄端子の整合機構。
【請求項９】
二つの主動端子と一つの受動端子より整合構成し、受動端子の両側の傾斜面は圧下による重ね接合のとき、二つの受動端子の突起円弧部に摩擦して接触することを特徴とする請求項１記載の自動清浄端子の整合機構。
【発明の詳細な説明】
【技術分野】
【０００１】
本発明は、自動清浄端子の整合構造、特に、傾斜面と円弧部の相互摩擦により自動清浄機能を実現する端子整合機構に関わる。
【背景技術】
【０００２】
公知技術の各種端子の重ね接合の組み合わせは、通常、圧下重ね接合により主動端子と受動端子が相互圧着接触により重ね接合し、電流信号または信号の導通伝送に備える。このため、圧着接触のときは、平面同士、弾性接点が平面または弾性接点が弾性接点による導通接触である。しかし、この種の端子は、使用後、年月が経つと、金属酸化、端子接続面に塵が積もり、垢、油しみなどを引起し、端子接続部の恒常的な清浄を維持できない。よって、整合導通端子間の導通不良により、電流導通または信号伝送のとき、接触不良が引き起こされる。
【０００３】
図１５と図１６に示すものは、公知技術のメモリカードソケット１０（カードリーダー）と各種カードの感知端子２０、感知端子３０、感知端子４０の組み合わせ配置概略図である。メモリカードをメモリカードソケットに挿入した後、メモリカードは二つの感知端子２０、感知端子３０（すなわち、主動端子）の接続部２０ａ、接続部３０ａ、もう一つの感知端子４０（すなわち、受動端子）の接続部４０ａを圧迫し、相互重ね接合する。端子の重ね接合は平面対平面の圧下による接触のため、年月が経つと、探知の接続部２０ａ、接続部３０ａ及び接続部４０ａは金属酸化または塵が積もり、垢などにより接触不良が起きる。
【発明の開示】
【発明が解決しようとする課題】
【０００４】
本発明の主な目的は、自動清浄端子整合構造を提供するもので、相互整合重ね接合する端子上にそれぞれ対応する傾斜面と突起円弧部を設け、端子を重ね接合するとき、相互の摩擦を引起し、端子接触面の接触摩擦により自動清浄機能を実現する。重ね接合の接触により端子接触面に堆積した金属酸化層、塵、垢または油しみをこすり取って、自動清浄効果が得られ、端子間の良好な接触性を確保し、電流導通または信号伝送の最適状態を維持する。
【０００５】
本発明の次の目的は、自動清浄端子整合構造を提供し、端子の整合重ね接合形態には制限がなく、端子の種類と形式を問わない。一つまたは二つ以上の主動端子と一つまたは二つ以上の受動端子との整合重ね接合組み合わせを選択し、各種整合端子とも良好な接触により自動清浄効果が得られる。
【０００６】
本発明のさらに一つの目的は、自動清浄端子整合構造を提供し、受動端子の剛性強度は主動端子より大きいことが好ましい。主動端子の弾性が受動端子より優れているため、主動端子を圧下して受動端子に接触するとき、より強い摩擦働きを発生し、強い擦り効果を形成し、より良い自動清浄機能を実現する。
【課題を解決するための手段】
【０００７】
自動清浄端子整合構造、主に、相互整合重ね接合の端子に対応する傾斜面と突起円弧部を設け、端子重ね接合するとき、相互摩擦を引起し、端子接続面の接続摩擦により自動清浄機能を実現し、端子の良好な接触性を確保する。また、端子の整合重ね接合形態には制限がなく、一つまたは二つ以上の主動端子と一つまたは二つ以上の受動端子による整合重ね接合ができる。なお、受動端子の剛性強度は主動端子より大きいことが好ましい。
【発明を実施するための最良の形態】
【０００８】
図１また図２に示すとおり、本発明の一実施例による自動清浄端子の整合機構は、一つまたは二つ以上の主動端子１と一つまたは二つ以上の受動端子２が相互整合重ね接合し、各端子（主動端子１と受動端子２を含む）の種類または形式は特定する必要がない。相互整合重ね接合する端子１と端子２は整合対応の傾斜面１１ａ（または傾斜面１１ｂ）と突起円弧部２１を設け、端子１と端子２を重ね接合するとき、傾斜面１１ａ（または傾斜面１１ｂ）と突起円弧部２１を圧下するときの相互摩擦により端子１と端子２の接触面に自動清浄機能を形成し、端子１と端子２の良好な接触性を確保できる。
【０００９】
前記の端子１と端子２の整合構造、重ね接合の接触により、端子接触面にたまった金属酸化層、塵、垢または油しみなどを擦り取って、自動清浄効果が得られるため、端子間に良好な接触を得て、最適な導通または信号伝送状態が実現する。
前記の実施例において、受動端子２の剛性強度は主動端子１より大きいことが好ましい。主動端子１の弾性は、受動端子２より優れている。よって、主動端子１は、圧下により受動端子２と接触するとき、より強い摩擦働きを引起し、擦り効果がさらによく、自動清浄機能をさらに強くする。
【００１０】
図１に示すとおり、主動端子１と受動端子２の整合重ね接合位置は、主動端子１の後ろ側傾斜面１１ａに設ける。図２に示すものは、主動端子１と受動端子２の整合重ね接合位置を主動端子１の前側傾斜面１１ｂに設け、整合重ね接合の位置は端子の形態または実務需要によるもので、制限の必要がない。
【００１１】
同様に、図３の実施例において、端子整合構造は、主動端子１の整合端に突起円弧部１２を設け、受動端子２の整合端に傾斜面２２ａを設けることにより、端子１と端子２の圧下重ね接合のとき、突起円弧部１２と傾斜面２２ａより形成する相互摩擦により自動清浄機能を実現する。
【００１２】
本実施例の端子整合機構において、二つの端子１と端子２は必要に応じて同一方向の圧下重ね接合形態、または、図４から図７の各実施例に示すように、二つの端子１と端子２は異なる方向の圧下重ね接合形態とし、整合する傾斜面１１ａ（傾斜面１１ｂ）または傾斜面２２と突起円弧部１２あるいは突起円弧部２１を主動端子１または受動端子２に設けても、同じく摩擦による自動清浄機能の目的を実現する。
【００１３】
図８の実施例において、基本形態は図３の実施例と同じである。ただし、主動端子１と受動端子２の整合重ね接合の位置は、受動端子２の後ろ側傾斜面２２ａまたは前側傾斜面２２ｂに選択されている。
図９の実施例において、他の端子の構成を示す。主に、一つの主動端子１と二つの受動端子２の整合より構成し、主動端子１の後ろ側傾斜面１１ａと前側傾斜面１１ｂは二つの受動端子２の突起円弧部１２と同時に圧下重ね接合するため、両側の傾斜面１１ａと傾斜面１１ｂとも摩擦による自動清浄機能を実現できる。同様に、図１０の実施例において、端子の構成は二つの主動端子１と一つの受動端子２より整合構成できる。受動端子２の両側の傾斜面２２ａと傾斜面２２ｂが圧下重ね接合のとき、二つの主動端子１の突起円弧部１２に摩擦接触することにより自動清浄機能が得られる。
【００１４】
図１１から図１４に示すものは、本発明の実施例のメモリカードソケット１００（カードリーダー）に応用した各種の感知端子１０１、感知端子１０２及び感知端子１０３の具体的な例である。感知端子１０１と感知端子１０２は、すなわち、前記の主動端子であり、もう一つの感知端子１０３は前記の受動端子である。メモリカードを挿入するとき、感知端子１０１と感知端子１０２（図１３）に圧迫し、傾斜面１０１ａと傾斜面１０２ａはもう一つの感知端子１０３に整合して対応の突起円弧部１０３ａと突起円弧部１０３ｂにより圧下重ね接合（図１４）状態を形成し、突起円弧部１０３ａ、突起円弧部１０３ｂと傾斜面１０１ａ、傾斜面１０２ａを圧下重ね接合するときの摩擦により自動清浄機能を発生する。よって、本実施例は、端子同士の接触部に堆積する金属酸化層、塵または垢に対する擦り取る清浄効果を確実に提供できる。
【００１５】
前記の実施例における受動接触の感知端子１０３の剛性強度は、主動端子の接触の感知端子１０１、感知端子１０２より大きいことが好ましい。感知端子１０１、感知端子１０２の弾性は受動接触の感知端子１０３より優れているため、主動接触する感知端子１０１、感知端子１０２は圧下により受動接触の感知端子１０３に接触するとき、強力な摩擦働きによる擦り効果がさらに良く、自動清浄機能がより強くなる。
前記の実施例に示すものは、本発明の技術例の説明のみであり、本発明の技術範囲に制限を加えることではない。よって、等価応用または前記の技術によるいかなる変更または置き換えるものは、すべて本発明の技術範疇に含まれることを申し上げる。
【図面の簡単な説明】
【００１６】
【図１】本発明の一実施例による自動清浄端子の整合機構の主動端子と受動端子が同一方向で下端部後ろ側傾斜面に重ね接合である状態を示す模式図である。
【図２】本発明の一実施例による自動清浄端子の整合機構の主動端子と受動端子が同一方向で下端部前側傾斜面に重ね接合である状態を示す模式図である。
【図３】本発明のもう一つの実施例による自動清浄端子の整合機構の主動端子と受動端子が同一方向で下端部後ろ側傾斜面に重ね接合である状態を示す模式図である。
【図４】本発明の一実施例による自動清浄端子の整合機構の主動端子と受動端子が異なる方向で下端部後ろ側傾斜面に重ね接合である状態を示す模式図である。
【図５】本発明の一実施例による自動清浄端子の整合機構の主動端子と受動端子が異なる方向で上端部前側傾斜面に重ね接合である状態を示す模式図である。
【図６】本発明の一実施例による自動清浄端子の整合機構の主動端子と受動端子が異なる方向で上端部後ろ側傾斜面に重ね接合である状態を示す模式図である。
【図７】本発明の一実施例による自動清浄端子の整合機構の主動端子と受動端子が異なる方向で下端部前側傾斜面に重ね接合である状態を示す模式図である。
【図８】本発明のもう一つの実施例による自動清浄端子の整合機構の主動端子と受動端子が同一方向で上端部前側傾斜面に重ね接合である状態を示す模式図である。
【図９】本発明のもう一つの実施例による自動清浄端子の整合機構の主動端子の両側に二つの受動端子と重ね接合する状態を示す模式図である。
【図１０】本発明のもう一つの実施例による自動清浄端子の整合機構の主動端子と受動端子と重ね接合する状態を示す実施例である。
【図１１】本発明の一実施例による自動清浄端子の整合機構のカードリーダー各種感知端子に応用する状態を示す分解斜視図である。
【図１２】図１１の実施例の感知端子を示す斜視図である。
【図１３】図１２の感知端子の圧下接触前の状況を示す概略図である。
【図１４】図１２の感知端子の圧下接触後の状況を示す概略図である。
【図１５】公知技術のカードリーダーと各感知端子とを示す分解斜視図である。
【図１６】公知技術のカードリーダーに設ける各感知端子のメモリカード圧下接触後の状態を示す概略図である。
【符号の説明】
【００１７】
１  主動端子、２  受動端子、１０  公知メモリカードソケット、１１ａ  傾斜面、１１ｂ  傾斜面、１２  突起円弧部、２０  感知端子、２０ａ  接触部、２１  突起円弧部、２２ａ  傾斜面、２２ｂ  傾斜面、３０  感知端子、３０ａ  接触部、４０  感知端子、４０ａ  接触部、１００  メモリカードソケット、１０１  感知端子、１０１ａ  傾斜面、１０２  感知端子、１０２ａ  傾斜面、１０３  感知端子、１０３ａ  突起円弧部、１０３ｂ  突起円弧部
【図１】
2007134058.tif 000003
【図２】
2007134058.tif 000004
【図３】
2007134058.tif 000005
【図４】
2007134058.tif 000006
【図５】
2007134058.tif 000007
【図６】
2007134058.tif 000008
【図７】
2007134058.tif 000009
【図８】
2007134058.tif 000010
【図９】
2007134058.tif 000011
【図１０】
2007134058.tif 000012
【図１１】
2007134058.tif 000013
【図１２】
2007134058.tif 000014
【図１３】
2007134058.tif 000015
【図１４】
2007134058.tif 000016
【図１５】
2007134058.tif 000017
【図１６】
2007134058.tif 000018